(57)【要約】【課題】電子部品を収容する筐体を備える電気機器においては、筐体の内部への水分の侵入を防ぐことが要求されている。【解決手段】ファンユニットは、貫通口を有するフレームと、貫通口を覆う防水透湿性のフィルタと、フレームに固定され、貫通口およびフィルタを介して通気を行うファンとを備える。フィルタは、フレームに固着されてもよい。フィルタは、フレームとファンとの間に配置され、ファンの縁部と、フレームの貫通口の周縁部とにより狭持されてもよい。【選択図】図３Ａ
2013191773.tif 000002
【特許請求の範囲】
【請求項１】
貫通口を有するフレームと、
前記貫通口を覆う防水透湿性のフィルタと、
前記フレームに固定され、前記貫通口および前記フィルタを介して通気を行うファンと
を備えるファンユニット。
【請求項２】
前記フィルタは、前記フレームに固着される請求項１に記載のファンユニット。
【請求項３】
前記フィルタは、前記フレームと前記ファンとの間に配置され、前記ファンの縁部と、前記フレームの前記貫通口の周縁部とにより狭持される請求項１または請求項２に記載のファンユニット。
【請求項４】
前記フレームは、前記ファンが固定される本体部と、前記貫通口が形成された分離部と有し、
分離部は、前記本体部に着脱可能に固定される請求項１から請求項３のいずれか１つに記載のファンユニット。
【請求項５】
吸気口を有し、電子部品を収容する筐体と、
請求項１から請求項４のいずれか１つに記載のファンユニットである前記吸気口に設けられた第１ファンユニットと
を備える電気機器。
【請求項６】
前記筐体は、第１側面に前記吸気口を有し、
前記ファンユニットの前記フレームが、前記筐体の前記吸気口の周縁部に着脱可能に固定される請求項５に記載の電気機器。
【請求項７】
前記筐体は、前記第１側面に凹部を有し、
前記吸気口は、前記凹部の底面に形成され、
前記ファンユニットの前記フレームが、前記凹部の前記底面に着脱可能に固定される請求項６に記載の電気機器。
【請求項８】
前記筐体は、前記第１側面の下方に前記吸気口を有し、背面の上方の前記第１側面に対向する第２側面側に排気口をさらに有する請求項６または請求項７に記載の電気機器。
【請求項９】
前記排気口を覆う防水透湿性のフィルタをさらに備える請求項８に記載の電気機器。
【請求項１０】
請求項１から請求項４のいずれか１つに記載のファンユニットである第２ファンユニットをさらに備え、
前記第２ファンユニットは、前記排気口に設けられる請求項８に記載の電気機器。
【発明の詳細な説明】
【技術分野】
【０００１】
本発明は、ファンユニットおよびファンユニットを備える電気機器に関する。
【背景技術】
【０００２】
特許文献１には、各種電気機器を収容する箱体本体の内部への塵埃の侵入を防ぐフィルタを備え、箱体本体の内部で発生する熱を箱体本体の外部に放出する放熱装置が開示されている。
特許文献１  特開２０００−２０９７１７号公報
【発明の概要】
【発明が解決しようとする課題】
【０００３】
電子部品を収容する筐体を備える電気機器においては、筐体の内部への水分の侵入を防ぐことが要求されている。
【課題を解決するための手段】
【０００４】
本発明に係るファンユニットは、貫通口を有するフレームと、貫通口を覆う防水透湿性のフィルタと、フレームに固定され、貫通口およびフィルタを介して通気を行うファンとを備える。
【０００５】
上記ファンユニットにおいて、フィルタは、フレームに固着されてもよい。フィルタは、フレームとファンとの間に配置され、ファンの縁部と、フレームの貫通口の周縁部とにより狭持されてもよい。フレームは、ファンが固定される本体部と、貫通口が形成された分離部と有し、分離部は、本体部に着脱可能に固定されてもよい。
【０００６】
本実施形態に係る電気機器は、吸気口を有し、電子部品を収容する筐体と、吸気口に設けられた上記ファンユニットである第１ファンユニットとを備える。
【０００７】
上記電気機器において、筐体は、第１側面に吸気口を有し、ファンユニットのフレームが、筐体の吸気口の周縁部に着脱可能に固定されてもよい。筐体は、第１側面に凹部を有し、吸気口は、凹部の底面に形成され、ファンユニットのフレームが、凹部の底面に着脱可能に固定されてもよい。
【０００８】
上記電気機器において、筐体は、第１側面の下方に吸気口を有し、背面の上方の第１側面に対向する第２側面側に排気口をさらに有してもよい。上記電気機器は、排気口を覆う防水透湿性のフィルタをさらに備えてもよい。上記電気機器は、排気口に設けられた上記ファンユニットである第２ファンユニットをさらに備えてもよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】第１実施形態に係るパワーコンディショナの分解斜視図である。
【図２Ａ】第１施形態に係るパワーコンディショナの正面図である。
【図２Ｂ】第１実施形態に係るパワーコンディショナのＡ−Ａ断面図である。
【図２Ｃ】第１実施形態に係るパワーコンディショナの側面図である。
【図２Ｄ】第１実施形態に係るパワーコンディショナのＢ−Ｂ断面図である。
【図３Ａ】第１実施形態に係るファンユニットの分解斜視図である。
【図３Ｂ】第１実施形態に係るファンユニットの正面図である。
【図３Ｃ】第１実施形態に係るファンユニットのＣ−Ｃ断面図である。
【図４】第１変形例に係るファンユニットの分解斜視図である。
【図５】第２変形例に係るファンユニットの分解斜視図である。
【図６】第３変形例に係るパワーコンディショナの分解斜視図である。
【図７】ファン制御装置の機能ブロックを示す図である。
【図８】ファン制御装置のファン制御フローを示すフローチャートである。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、第１実施形態に係るパワーコンディショナ１００の分解斜視図を示す。パワーコンディショナ１００は、昇圧回路およびインバータを備える。昇圧回路およびインバータは、電子部品の一例である。パワーコンディショナ１００は、太陽電池、燃料電池などの直流電源からの直流電圧を昇圧回路により昇圧し、昇圧された直流電圧をインバータにより交流電圧に変換して、負荷に供給する。または、パワーコンディショナ１００は、交流電圧を系統電源に逆潮流する。
【００１３】
パワーコンディショナ１００は、背面基台１１０、基板１１２、上蓋１２０、吸気用の第１ファンユニット２００、排気用の第２ファンユニット３００、第１温度センサ１３０、第２温度センサ１３２、湿度センサ１３４、冷却ダクト１４０、および冷却ファンユニット１４２を備える。背面基台１１０および上蓋１２０が電子部品を収容する筐体の一例である。背面基台１１０の一方の面には、基板１１２が設けられる。上蓋１２０は、背面基台１１０の一方の面を覆い、電子部品が収容される内部空間、つまり筐体の内部空間を形成する。
【００１４】
背面基台１１０の縁部には、縁部を囲繞するゴムなどの弾性材料からなる環状のパッキン１１１が配置されている。パッキン１１１は、背面基台１１０と上蓋１２０とに密着し、背面基台１１０と上蓋１２０との間から水などの異物が内部空間に侵入することを防止する。上蓋１２０は、パワーコンディショナ１００が設置された状態において下方の上蓋１２０の第１側面１２０ａに、通気口の一例である吸気口１２２を有する。背面基台１１０は、パワーコンディショナ１００が設置された状態において上方で、かつ上蓋１２０の第１側面１２０ａに対向する第２側面１２０ｂ側に、通気口の一例である排気口１１４を有する。背面基台１１０と上蓋１２０とはパッキン１１１により密着しており、背面基台１１０と上蓋１２０とから構成される内部空間は、吸気口１２２および排気口１１４以外外部空間と連通している部分がない。つまり、内部空間は、吸気口１２２および排気口１１４以外において密閉空間である。
【００１５】
第１ファンユニット２００は、吸気口１２２を覆うように吸気口１２２に設けられ、筐体の内部空間に外部の空気を吸引する。第２ファンユニット３００は、排気口１１４を覆うように排気口１１４に設けられ、筐体の内部空間から外部へ空気を排気する。第１ファンユニット２００および第２ファンユニット３００が作動することにより、筐体の内部空間に外部の比較的低温な空気が取り込まれ、筐体の内部空間の比較的高温な空気が外部へ排出される。これにより、筐体の内部空間の空気が換気され、内部空間の温度の上昇および筐体に対する結露の発生を抑制できる。
【００１６】
基板１１２は、背面基台１１０の上面に設けられた複数の第１突起部１０２を介して固定される。基板１１２には、昇圧回路およびインバータを構成する複数のスイッチング素子など複数の電子部品が設けられる。また、基板１１２には、第１ファンユニット２００および第２ファンユニット３００のファン動作を制御するファン制御装置として機能するマイクロコンピュータが設けられる。冷却ダクト１４０は、背面基台１１０の背面上に固定され、基板１１２に設けられた複数の電子部品を冷却する。冷却ファンユニット１４２は、冷却ダクト１４０の最上流側、言い換えれば、パワーコンディショナ１００が設置された状態で下方側に設けられる。冷却ファンユニット１４２は、冷却ダクト１４０に強制的に空気を供給し、冷却ダクト１４０を冷却する。これにより、基板１１２に設けられた複数の電子部品が間接的に冷却される。
【００１７】
図２Ａは、パワーコンディショナ１００の正面図である。図２Ｂは、パワーコンディショナ１００の図２Ａに示すＡ−Ａ断面図である。図２Ｃは、パワーコンディショナ１００の第１側面１２０ａ側の側面図である。図２Ｄは、パワーコンディショナ１００の図２Ｃに示すＢ−Ｂ断面図である。
【００１８】
第１温度センサ１３０は、パワーコンディショナ１００が設置された状態において上蓋１２０の下方に設けられた吸気口１２２の近傍で、かつ上蓋１２０の第１側面１２０ａの内部空間側に固定される。第１温度センサ１３０は、センサ部分が第１側面１２０ａの内部空間側に接触しており、筐体の温度に対応する第１温度を検出する。第１温度センサ１３０は、外気を取り込む吸気口１２２の近傍に設けられることで、外気温に比較的に近い温度を検出できる。なお、第１温度センサ１３０の設置位置は、上記の位置には限定されない。第１温度センサ１３０は、上蓋１２０の外表面に設けられてもよい。
【００１９】
第２温度センサ１３２は、パワーコンディショナ１００が設置された状態において背面基台１１０の上方に設けられた排気口１１４の近傍に設けられた第２突起部１０４を介して背面基台１１０の内部空間側に固定される。第２温度センサ１３２は、センサ部分が背面基台１１０および上蓋１２０のいずれにも接触せずに内部空間内に配置されており、筐体の内部空間の温度に対応する第２温度を検出する。なお、第２温度センサ１３２の設置位置は、上記の位置には限定されない。第２温度センサ１３２は、発熱量が比較的多いスイッチング素子などの電子部品の近傍の内部空間内に設けられてもよい。
【００２０】
湿度センサ１３４は、背面基台１１０のパワーコンディショナ１００が設置された状態で上方の第１側面１２０ａ側に、第３突起部１０６を介して固定される。湿度センサ１３４は、センサ部分が背面基台１１０および上蓋１２０のいずれにも接触せずに内部空間内に配置されており、筐体の内部空間の湿度を検出する。湿度センサ１３４の設置位置は、上記の位置には限定されない。湿度センサ１３４は、背面基台１１０のパワーコンディショナ１００が設置された状態で下方に設けられてもよい。
【００２１】
パワーコンディショナ１００は、第１温度センサ１３０および第２温度センサ１３２により検出された第１温度および第２温度と、湿度センサ１３４により検出された湿度とに基づいて、第１ファンユニット２００または第２ファンユニット３００の吸引量または排気量を制御する。これにより、筐体に対する結露の発生を抑制する。
【００２２】
図３Ａは、第１ファンユニット２００の分解斜視図である。図３Ｂは、図３Ａの符号２０２で示す矢印方向から見た第１ファンユニット２００の正面図である。図３Ｃは、第１ファンユニット２００の図３Ｂに示すＣ−Ｃ断面図である。なお、第２ファンユニット３００は、第１ファンユニット２００と同一の構成でよい。
【００２３】
第１ファンユニット２００は、フレーム２１０、Ｏリング２２０、防水透湿性のフィルタ２３０、およびファン２４０を備える。フレーム２１０は、正面に対向する裏面側に円形状の開口２１１を有する。また、フレーム２１０は、開口２１１から連通している貫通口２１２を有する。貫通口２１２は、外部からの空気を通過させ、または内部空間からの空気を通過させる。また、貫通口２１２は、扇状の複数の貫通溝を含み、人の指、比較的大きな塵埃、虫などの侵入を防ぐフィンガーガードとしても機能する。
【００２４】
さらに、フレーム２１０は、開口２１１の外周に沿って裏面側に形成された複数のボルト穴２１４を有する。複数のボルト穴２１４は、ファン２４０を固定するための複数のボルト２５０が螺合される。ファン２４０は、縁部に複数のボルト貫通孔２４２を有し、複数のボルト２５０は、複数のボルト貫通孔２４２および複数のボルト穴２１４を介して、ファン２４０とフレーム２１０とを固定する。
【００２５】
フレーム２１０は、複数のボルト穴２１４の外周側に、開口２１１の外周に沿って形成された環状溝２１６を有する。Ｏリング２２０は、環状溝２１６内に配置され、開口２１１を囲繞する。Ｏリング２２０は、フレーム２１０の裏面と上蓋１２０の第１ファンユニット２００の設置面、つまり第１側面１２０ａとの間の隙間から、吸気口１２２を介して筐体の内部空間に水などの異物が混入するのを防止する。
【００２６】
また、フレーム２１０は、環状溝２１６の外周側に形成された複数の貫通穴２１８を有する。複数の貫通穴２１８には、第１ファンユニット２００を上蓋１２０の第１側面１２０ａに固定するための複数のボルトが挿入される。
【００２７】
さらに、フレーム２１０は、開口２１１の内周面に沿って形成された段差部２１３を有する。段差部２１３は、貫通口２１２の周縁部の一例であり、段差部２１３上に、防水透湿性のフィルタ２３０の縁部が配置される。段差部２１３とフィルタ２３０の縁部とが熱溶着されることで、フィルタ２３０は、フレーム２１０に固着されてよい。また、段差部２１３とフィルタ２３０の縁部とが接着剤で接着されることで、フィルタ２３０は、フレーム２１０に固着されてよい。このように、フィルタ２３０がフレーム２１０に固着されることで、フィルタ２３０とフレーム２１０との間の隙間から、吸気口１２２を介して筐体の内部空間に水、塵埃などの異物が混入するのを防止できる。
【００２８】
防水透湿性のフィルタ２３０は、水蒸気は通過するが、水は通過しない素材で構成される。フィルタ２３０は、内圧調整用フィルタなどに用いられる四ふっ化エチレン樹脂多孔質膜、ふっ素樹脂多孔質膜などの多孔質膜で構成されてもよい。このようなフィルタ２３０により貫通口２１２が覆われることにより、貫通口２１２を介して、外部から筐体の内部空間に水、塵埃などの異物が混入することを防止できる。しかも、フィルタ２３０は、水蒸気、つまり空気を通過させるので、第１ファンユニット２００は、吸気口１２２を介して外部の空気を筐体の内部空間に供給することができる。
【００２９】
なお、第１実施形態では、防水透湿性のフィルタを備えた第１ファンユニット２００および第２ファンユニット３００を吸気口および排気口に設ける例について説明した。しかし、防水透湿性のフィルタを備えたファンユニットは、吸気口および排気口のいずれか一方のみに設けられてもよい。この場合、吸気口および排気口のいずれか他方は、防水透湿性のフィルタで覆われてもよい。
【００３０】
また、ファンユニットを設けずに、吸気口および排気口のそれぞれを防水透湿性のフィルタで覆うことも考えられる。しかし、防水透湿性のフィルタを介して内部空間に外気を自然吸引する場合、その吸気量が十分に得られず、内部空間の換気が十分に行えない可能性がある。そこで、吸気口および排気口の少なくとも一方には、防水透湿性のフィルタを備えたファンユニットを設けることが好ましい。また、防水透湿性のフィルタを備えたファンユニットを吸気口のみに設けることで、内部空間の内圧を高めることができる。内部空間の内圧が高められることで、内部空間の比較的暖かい空気が、排気口に設けられた防水透湿性のフィルタを介して外部へ排出されやすくできる。
【００３１】
図４は、第１変形例に係る第１ファンユニット２００の分解斜視図である。第１変形例に係る第１ファンユニット２００は、段差部２１３が、図３Ａ〜図３Ｃに示す第１ファンユニット２００よりフレーム２１０の裏面側に設けられている。そして、フィルタ２３０は、フレーム２１０とファン２４０との間に配置され、ファン２４０の縁部と、フレーム２１０の貫通口２１２の周縁部、つまり段差部２１３とにより狭持される。これにより、段差部２１３とフィルタ２３０の周縁部との間の隙間から吸気口１２２を介して、筐体の内部空間に、水、塵埃などの異物が混入することを防止できる。
【００３２】
図５は、第２変形例に係る第１ファンユニット２００の分解斜視図である。第２変形例に係る第１ファンユニット２００は、フレーム２１０が、本体部２６０と分離部２６２とから構成される点で、図３Ａ〜図３Ｃに示す第１ファンユニット２００とは異なる。本体部２６０は、ファン２４０が固定される。分離部２６２は、中空状の円柱であり、一方の端部に、フィンガーガードとして機能する貫通口２１２が形成されている。また、分離部２６２は、他方の端部の外周面に凸部２６４を有する。そして、本体部２６０の開口２１１の内周面の正面側には、内周面に沿って、凸部２６４と嵌合する嵌合溝２１９が形成されている。
【００３３】
本体部２６０と分離部２６２とを固定する場合、分離部２６２の他方の端部を本体部２６０の開口２１１の正面側から挿入する。そして、分離部２６２を開口２１１の内周面に沿って回転させることにより凸部２６４を嵌合溝２１９にスライドさせながら嵌合させる。これにより、分離部２６２は本体部２６０に着脱可能に固定される。このように、フレーム２１０を本体部２６０と分離部２６２とから構成し、分離部２６２を本体部２６０に対して着脱可能にすることで、第１ファンユニット２００を筐体に固定した後において、フィルタ２３０の清掃、フィルタ２３０の交換などの作業が容易になる。
【００３４】
図６は、第２実施形態に係るパワーコンディショナ１００の斜視図を示す。第２実施形態に係るパワーコンディショナ１００は、第１側面１２０ａの下方に形成された凹部１２４の底面に第１ファンユニット２００が設置されている点で、第１実施形態に係るパワーコンディショナ１００と異なる。吸気口１２２は、凹部１２４の底面に形成されている。このように、凹部１２４に第１ファンユニット２００が設置されることで、パワーコンディショナ１００の側面の一部分が突出することを防止できる。よって、パワーコンディショナ１００の側面に設けられる第１ファンユニット２００が、パワーコンディショナ１００の設置場所を制限するのを防止できる。
【００３５】
図７は、パワーコンディショナ１００が備える、第１ファンユニット２００および第２ファンユニット３００のファン制御を行うファン制御装置の機能ブロックを示す図である。ファン制御装置は、第１温度情報取得部１２、第２温度情報取得部１４、湿度情報取得部１６、ファン制御部１０、および閾値情報保持部１８を備える。
【００３６】
第１温度情報取得部１２は、電子部品を収容する背面基台１１０および上蓋１２０を有する筐体の温度に対応する第１温度を示す第１温度情報を第１温度センサ１３０を介して取得する。第２温度情報取得部１４は、筐体の内部空間の温度に対応する第２温度を示す第２温度情報を第２温度センサ１３２を介して取得する。湿度情報取得部１６は、筐体の内部空間の湿度を示す湿度情報を湿度センサ１３４を介して取得する。
【００３７】
ファン制御部１０は、第１温度情報に示される第１温度と第２温度情報に示される第２温度との温度差が予め定められた第１閾値以上の場合に、筐体の吸気口または排気口に設けられる第１ファンユニット２００または第２ファンユニット３００の吸気量または排気量を示す通気量を増加させる。ファン制御部１０は、温度差が第１閾値以上で、かつ湿度情報が示す湿度が予め定められた第２閾値以上の場合に、通気量を増加させてもよい。閾値情報保持部１８は、予め定められた第１閾値および第２閾値を保持する。
【００３８】
なお、第１閾値および第２閾値は、パワーコンディショナ１００を外気の温度および湿度の環境が異なる複数の条件化で動作させ、それらの条件下で、パワーコンディショナ１００に結露が発生する場合の温度差および湿度との関係を記録し、その記録結果に基づいて予め定めればよい。
【００３９】
また、ファン制御部１０は、温度差が第１閾値未満の場合、第１ファンユニット２００および第２ファンユニット３００のファン動作を停止させてもよい。あるいは、ファン制御部１０は、温度差が第１閾値未満の場合、第１ファンユニット２００および第２ファンユニット３００のファン動作を、温度差が第１閾値未満であることを検知してから予め定められた時間経過後に、停止させてもよい。さらに、ファン制御部１０は、温度差が第１閾値未満の場合、第１ファンユニット２００および第２ファンユニット３００の通気量を徐々に減少させて、温度差が第１閾値未満であることを検知してから予め定められた時間経過後に、第１ファンユニット２００および第２ファンユニット３００のファン動作を停止させてもよい。また、ファン制御部１０は、温度差が第１閾値未満の場合、第１ファンユニット２００および第２ファンユニット３００の通気量を例えば予め定められた量または割合だけ減少させた後、温度差が第１閾値より小さい第３閾値未満になった場合に、第１ファンユニット２００および第２ファンユニット３００のファン動作を停止させてもよい。
【００４０】
また、閾値情報保持部１８は、温度差の大きさごとに第２閾値を保持してよい。この場合、ファン制御部１０は、温度差が第１閾値以上の場合、その温度差に対応する第２閾値を参照して、湿度がその温度差に対応する第２閾値以上の場合に、第１ファンユニット２００または第２ファンユニット３００の通気量を増加させてもよい。
【００４１】
図８は、ファン制御装置が実行するファン制御フローを示すフローチャートである。ファン制御装置は、ファン制御フローを周期的に実行する。
【００４２】
第１温度情報取得部１２が第１温度センサ１３０を介して第１温度情報を取得し、第２温度情報取得部が第２温度センサ１３２を介して第２温度情報を取得する。さらに、湿度情報取得部１６が湿度センサ１３４を介して湿度情報を取得する（Ｓ１００）。次いで、ファン制御部１０は、第１温度情報が示す第１温度を、第２温度情報が示す第２温度から減算することで温度差を算出し、温度差が第１閾値以上か否か判定する（Ｓ１０２）。判定の結果、温度差が第１閾値より小さい場合には、ファン制御部１０は、結露が発生する可能性は低いと判断して、処理を終了する。
【００４３】
一方、温度差が第１閾値以上の場合には、ファン制御部１０は、湿度情報が示す湿度が第２閾値以上か否かを判定する（Ｓ１０４）。判定の結果、湿度が第２閾値より小さい場合には、ファン制御部１０は、結露が発生する可能性は低いと判断して、処理を終了する。判定の結果、湿度が第２閾値以上の場合には、ファン制御部１０は、結露が発生する可能性が高いと判断して、第１ファンユニット２００または第２ファンユニット３００の吸気量または排気量を示す通気量を増加させる（Ｓ１０６）。
【００４４】
なお、ファン制御部１０は、第１ファンユニット２００または第２ファンユニット３００のファン回転数を増加させることで、第１ファンユニット２００または第２ファンユニット３００の通気量を増加させてもよい。また、第１ファンユニット２００または第２ファンユニット３００が停止している場合には、ファン制御部１０は、第１ファンユニット２００または第２ファンユニット３００を作動させることで、第１ファンユニット２００または第２ファンユニット３００の通気量を増加させてもよい。
【００４５】
また、上記では、ファン制御部１０は、温度差が第１閾値以上で、かつ湿度が第２閾値以上の場合に、第１ファンユニット２００または第２ファンユニット３００の通気量を増加させる例について説明した。しかし、ファン制御部１０は、湿度の大きさに関わらず、温度差が第１閾値以上の場合に、第１ファンユニット２００または第２ファンユニット３００の通気量を増加させてもよい。
【００４６】
なお、ファン制御装置は、上記のファン制御に関わる各種処理を行うプログラムをインストールし、このプログラムをコンピュータに実行させることで、構成してもよい。つまり、コンピュータにファン制御を行うプログラムを実行させることにより、第１温度情報取得部１２、第２温度情報取得部１４、湿度情報取得部１６、ファン制御部１０、および閾値情報保持部１８としてコンピュータを機能させることで、ファン制御装置を構成してもよい。
【００４７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４９】
１０  ファン制御部
１２  第１温度情報取得部
１４  第２温度情報取得部
１６  湿度情報取得部
１８  閾値情報保持部
１００  パワーコンディショナ
１１０  背面基台
１１２  基板
１１４  排気口
１２０  上蓋
１２２  吸気口
１３０  第１温度センサ
１３２  第２温度センサ
１３４  湿度センサ
２００  第１ファンユニット
２１０  フレーム
２１２  貫通口
２３０  フィルタ
２４０  ファン
２６０  本体部
２６２  分離部
３００  第２ファンユニット
【図１】
2013191773.tif 000003
【図２Ａ】
2013191773.tif 000004
【図２Ｂ】
2013191773.tif 000005
【図２Ｃ】
2013191773.tif 000006
【図２Ｄ】
2013191773.tif 000007
【図３Ａ】
2013191773.tif 000008
【図３Ｂ】
2013191773.tif 000009
【図３Ｃ】
2013191773.tif 000010
【図４】
2013191773.tif 000011
【図５】
2013191773.tif 000012
【図６】
2013191773.tif 000013
【図７】
2013191773.tif 000014
【図８】
2013191773.tif 000015